(57)【要約】【課題】標本に対する照明光を遮断することなく明視野照明と偏斜照明とを容易に切り換えられること。【解決手段】照明装置５は、標本に対して明視野照明と偏斜照明とを切換可能に行う照明装置であって、標本に対する照明光束を照明光軸ＯＡ２周りに制限する開口絞り１４と、照明光束を遮光する遮光シート３３を有し、開口絞り１４によって制限された照明光路に対して遮光シート３３を挿脱させるとともに、照明光路内への遮光シート３３の挿入量に対応して照明光束を照明光軸ＯＡ２に対して非対称に遮光する遮光機構３０とを備える。【選択図】  図２−１
2009014772.tif 000002
【特許請求の範囲】
【請求項１】
標本に対して明視野照明と偏斜照明とを切換可能に行う照明装置において、
前記標本に対する照明光束を所定光軸周りに制限する絞りと、
前記照明光束を遮光する遮光部材を有し、前記絞りによって制限された前記照明光束の光路に対して前記遮光部材を挿脱させるとともに、該光路内への前記遮光部材の挿入量に対応して前記照明光束を前記所定光軸に対して非対称に遮光する遮光機構と、
を備えたことを特徴とする照明装置。
【請求項２】
標本に対して明視野照明と偏斜照明とを切換可能に行う照明装置において、
前記標本に対する照明光束を所定光軸周りに制限する絞りを有し、該絞りの開口径を変化させる絞り機構と、
前記照明光束を遮光する遮光部材を有し、前記絞りによって制限された前記照明光束の光路に対して前記遮光部材を挿脱させるとともに、該光路内への前記遮光部材の挿入量に対応して前記照明光束を前記所定光軸に対して非対称に遮光する遮光機構と、
前記遮光機構による前記遮光部材の前記光路に対する挿入移動または退避移動の少なくとも一方に連動し、前記絞り機構によって前記開口径を変化させる連動機構と、
を備えたことを特徴とする照明装置。
【請求項３】
前記連動機構は、前記遮光機構が前記遮光部材を前記光路内へ所定量挿入させた場合、前記絞り機構によって前記開口径を最大にすることを特徴とする請求項２に記載の照明装置。
【請求項４】
前記連動機構は、前記遮光機構が前記遮光部材を前記光路内から該光路外へ退避移動させた場合、前記絞り機構によって前記開口径を、前記遮光機構が前記遮光部材を前記光路内へ挿入させる以前の大きさに復元することを特徴とする請求項３に記載の照明装置。
【請求項５】
前記遮光機構は、前記絞り近傍における前記光路に対して前記遮光部材を挿脱させることを特徴とする請求項１〜４のいずれか一つに記載の照明装置。
【請求項６】
前記遮光機構は、前記照明光を拡散させる拡散光学素子を前記遮光部材と一体に有することを特徴とする請求項１〜５のいずれか一つに記載の照明装置。
【発明の詳細な説明】
【技術分野】
【０００１】
本発明は、標本に対して明視野照明と偏斜照明とを切換可能に行う照明装置に関する。
【背景技術】
【０００２】
従来、顕微鏡に用いる照明装置として、標本に対して偏斜照明を行う照明装置が知られている（例えば、特許文献１および２参照）。偏斜照明では、標本の観察に用いる対物レンズの光軸に対して傾斜した照明光のみ照射することによって、通常の明視野照明に比べ、標本の観察において高い解像力を得ることができる。なお、「偏斜照明」は、「斜光照明」、「傾斜照明」または「斜照明」等と称させる場合もあるが、本明細書では「偏斜照明」を用いることとする。
【０００３】
特許文献１に記載された落射偏斜照明装置では、開口径が変更可能な開口絞りを備え、この開口絞りを照明光学系の光軸に対して偏心させることで、偏斜照明を行うようにしている。すなわち、この落射偏斜照明装置では、開口絞りを照明光学系の光軸上に配置した場合に通常の明視野照明をすることができ、開口絞りをその光軸上から偏心させた場合に偏斜照明をすることができる。
【０００４】
特許文献２に記載された斜光照明絞りを有する顕微鏡では、照明光学系の光軸に対して挿脱可能な斜光照明絞りを備え、この斜光照明絞りを照明光学系の光軸上に配置した場合に偏斜照明をすることができ、斜光照明絞りをその光軸上から退避させた場合に通常の明視野照明をすることができる。
【０００５】
【特許文献１】特開平６−１４８５２６号公報
【特許文献２】特開２００６−１８０９２号公報
【発明の開示】
【発明が解決しようとする課題】
【０００６】
しかしながら、特許文献１に記載された落射偏斜照明装置では、偏斜照明から明視野照明へ切り換えるごとに開口絞りの中心を照明光学系の光軸に合致させる芯出し調整を行う必要があり、照明の切換作業に多大な手間と時間を要するという問題があった。また、特許文献２に記載された顕微鏡では、偏斜照明と明視野照明とを切り換える際に斜光照明絞りを挿脱することで、標本に対する照明光を一時的に遮断することとなり、その際に標本の観察をすることができなくなるという問題があった。このため、検鏡者が標本を見失う、経時的に連続した観察をすることができなくなる等の問題があった。
【０００７】
本発明は、上記に鑑みてなされたものであって、標本に対する照明光を遮断することなく明視野照明と偏斜照明とを容易に切り換えることができる照明装置を提供することを目的とする。
【課題を解決するための手段】
【０００８】
上述した課題を解決し、目的を達成するために、本発明にかかる照明装置は、標本に対して明視野照明と偏斜照明とを切換可能に行う照明装置において、前記標本に対する照明光束を所定光軸周りに制限する絞りと、前記照明光束を遮光する遮光部材を有し、前記絞りによって制限された前記照明光束の光路に対して前記遮光部材を挿脱させるとともに、該光路内への前記遮光部材の挿入量に対応して前記照明光束を前記所定光軸に対して非対称に遮光する遮光機構と、を備えたことを特徴とする。
【０００９】
また、本発明にかかる照明装置は、標本に対して明視野照明と偏斜照明とを切換可能に行う照明装置において、前記標本に対する照明光束の光路を所定光軸周りに制限する絞りを有し、該絞りの開口径を変化させる絞り機構と、前記照明光束を遮光する遮光部材を有し、前記絞りによって制限された前記照明光束の光路に対して前記遮光部材を挿脱させるとともに、該光路内への前記遮光部材の挿入量に対応して前記照明光束を前記所定光軸に対して非対称に遮光する遮光機構と、前記遮光機構による前記遮光部材の前記光路に対する挿入移動または退避移動の少なくとも一方に連動し、前記絞り機構によって前記開口径を変化させる連動機構と、を備えたことを特徴とする。
【００１０】
また、本発明にかかる照明装置は、上記の発明において、前記連動機構は、前記遮光機構が前記遮光部材を前記光路内へ所定量挿入させた場合、前記絞り機構によって前記開口径を最大にすることを特徴とする。
【００１１】
また、本発明にかかる照明装置は、上記の発明において、前記連動機構は、前記遮光機構が前記遮光部材を前記光路内から該光路外へ退避移動させた場合、前記絞り機構によって前記開口径を、前記遮光機構が前記遮光部材を前記光路内へ挿入させる以前の大きさに復元することを特徴とする。
【００１２】
また、本発明にかかる照明装置は、上記の発明において、前記遮光機構は、前記絞り近傍における前記光路に対して前記遮光部材を挿脱させることを特徴とする。
【００１３】
また、本発明にかかる照明装置は、上記の発明において、前記遮光機構は、前記照明光を拡散させる拡散光学素子を前記遮光部材と一体に有することを特徴とする。
【発明の効果】
【００１４】
本発明にかかる照明装置によれば、標本に対する照明光を遮断することなく明視野照明と偏斜照明とを容易に切り換えることができる。
【発明を実施するための最良の形態】
【００１５】
以下、添付図面を参照して、本発明にかかる照明装置の好適な実施の形態を詳細に説明する。なお、この実施の形態により本発明が限定されるものではない。また、図面の記載において、同一部分には同一符号を付して示している。
【００１６】
（実施の形態）
まず、本発明の実施の形態にかかる照明装置について説明する。図１は、本実施の形態にかかる照明装置を用いた顕微鏡１００の要部構成を示す図である。この図に示すように、顕微鏡１００は、標本１が載置されるステージ２と、ステージホルダ３を介してステージ２を支持する顕微鏡本体４と、顕微鏡本体４上に搭載された照明装置５と、照明装置５の前側（図１における左側）底部に設けられたレボルバ６と、レボルバ６に対して交換自在に取り付けられる対物レンズ７と、レボルバ６の直上部において照明装置５上に搭載された鏡筒８と、鏡筒８の前側に設けられた双眼部９とを備える。
【００１７】
ステージホルダ３は、顕微鏡本体４の側面部に突設された焦準ハンドル４ａの回動操作に連動し、図示しない焦準機構によって昇降移動される。標本１およびステージ２は、ステージホルダ３の昇降移動にともなって観察光軸ＯＡ１方向に焦準移動されて、焦点合わせ（ピント合わせ）される。また、ステージホルダ３は、図示しない平面駆動機構によって、観察光軸ＯＡ１に垂直な平面内で自在に移動される。これによって、標本１上の観察位置が調整される。なお、観察光軸ＯＡ１は、対物レンズ７の光軸に相当する。
【００１８】
対物レンズ７は、鏡筒８に内設された図示しない結像レンズと協働し、照明装置５によって照明される標本１の観察像を結像させる。その際、対物レンズ７は、標本１上の各点から発する観察光を平行光束にして結像レンズへ射出させる。結像レンズは、対物レンズ７が射出させた観察光を集束させて観察像を結像させる。この観察像は、鏡筒８に内設された図示しない偏向プリズムを介して双眼部９内へ導入され、双眼部９によって左右方向（図１における紙面垂直方向）に２分割された後、双眼部９の先端部に設けられた一対の接眼レンズ９ａを介して検鏡者に目視観察される。
【００１９】
照明装置５は、照明光を発する光源１１と、光源１１が発した照明光を集光して１次光源像を結像させるコレクタレンズ１２と、照明光を拡散させる拡散光学素子としてのフロストガラス１３と、コレクタレンズ１２が集光した照明光の光束を制限する開口絞り１４と、開口絞り１４を通過した照明光の光束を制限する視野絞り１５と、視野絞り１５を通過した照明光を集光して２次光源像を結像させるリレーレンズ１６と、リレーレンズ１６から射出した照明光を観察光軸ＯＡ１に沿って対物レンズ７へ向けて偏向させるハーフミラー１７と、を備える。これらコレクタレンズ１２からハーフミラー１７までの各光学素子は、筐体としての投光管本体１８に内設されている。また、光源１１からハーフミラー１７までの各光学素子は、照明光軸ＯＡ２を共通の光軸として配置されている。
【００２０】
開口絞り１４は、１次光源像の結像面上に配置されるとともに、対物レンズ７の瞳と共役な位置に配置されている。開口絞り１４は、コレクタレンズ１２が集光した照明光の光束とともに１次光源像の大きさを制限することで、標本１に照射する照明光の開口数（ＮＡ）を規定する。視野絞り１５は、対物レンズ７の焦点面と共役な位置に配置されており、開口絞り１４を通過した照明光の光束を制限することで、標本１上に照射する照明光の照射範囲（照野）を規定する。このようにして照明装置５は、対物レンズ７を介して標本１をケーラー照明する。
【００２１】
ここで、開口絞り１４は、その開口部の大きさが変更可能な可変絞りとして構成されており、フロストガラス１３は、開口絞り１４によって制限された照明光の光路（以下、照明光路と称する。）に対して挿脱される遮光部材が一体に設けられている。図２−１および図２−２は、かかる開口絞り１４およびフロストガラス１３を各々備えた絞り機構２０および遮光機構３０の構成を示す断面図である。図２−１は、遮光部材が照明光路から退避された場合を示し、図２−２は、遮光部材が照明光路に挿入された場合を示している。図２−１および図２−２は、いずれも照明装置５の上部から見た構成を示す図であって、図中下方には図示しないコレクタレンズ１２および光源１１が配置されている。
【００２２】
これらの図に示すように、絞り機構２０は、開口絞り１４の他、台座２１、回し環２２、コマ２３およびレバー２４を用いて構成されている。台座２１は、貫通孔２１ａを有し、貫通孔２１ａの中軸を照明光軸ＯＡ２に一致させて投光管本体１８の底部に固定されている。また、台座２１は、貫通孔２１ａと同軸に凹部２１ｂを有し、凹部２１ｂ内に開口絞り１４を保持している。
【００２３】
回し環２２は、中心部に貫通孔２２ａを有し、貫通孔２２ａの中軸を照明光軸ＯＡ２に一致させて凹部２１ｂに嵌設されている。貫通孔２２ａの孔径は、貫通孔２１ａの孔径と略等しくされている。コマ２３は、中心部に開口部２３ａを有し、回し環２２に対して台座２１と反対側に取り付けられている。レバー２４は、その一端がコマ２３の側面部２３ｂに取り付けられ、他端が投光管本体１８の側壁部１８ａから外部へ突出されている。コマ２３は、側壁部１８ａに対するレバー２４の挿脱移動、すなわちレバー２４の軸方向の移動にともない、回し環２２に対して摺動可能とされている。
【００２４】
図３−１は、図２−１に示すIII矢視方向から見た台座２１および開口絞り１４の組み立て構成を示す図である。また、図３−２は、同様にIII矢視方向から見た回し環２２、コマ２３およびレバー２４の組み立て構成を示す図である。図３−１に示すように、開口絞り１４は、複数の絞り羽根１４ａを螺旋状に順次組み合わせて構成されている。図３−１では、一例として４枚の絞り羽根１４ａを用いて構成された開口絞り１４を示している。ただし、開口絞り１４は、４枚に限定されず５枚以上の絞り羽根１４ａを用いて構成してもよい。
【００２５】
絞り羽根１４ａは、図３−３（ａ）に示すように、略Ｃ字状の平板部材１４ｂと、固定ピン１４ｃと、駆動ピン１４ｄとを用いて構成されている。固定ピン１４ｃおよび駆動ピン１４ｄは、図３−３（ｂ）に示すように、それぞれ平板部材１４ｂの異なる端部において、平板部材１４ｂに対して互いに反対側に突設されている。なお、図３−３（ａ）は、図３−１と同様にIII矢視方向から見た構成を示し、図３−３（ｂ）は、図３−３（ａ）におけるＡＡ矢視方向から見た構成を示している。
【００２６】
台座２１の凹部２１ｂには、図３−１に示すように、照明光軸ＯＡ２周りに等間隔に４つのダボ穴２１ｃが設けられている。各ダボ穴２１ｃにはそれぞれ異なる絞り羽根１４ａの固定ピン１４ｃが嵌入されている。また、回し環２２の端面のうち開口絞り１４に対向する端面には、図３−２に示すように、放射方向に４つの長溝２２ｂが設けられている。各長溝２２ｂにはそれぞれ異なる絞り羽根１４ａの駆動ピン１４ｄが挿設されている。さらに、回し環２２の端面のうちコマ２３に対向する端面には、図３−２に示すように、連結ピン２２ｃが突設されている。連結ピン２２ｃは、コマ２３の上面部に突設されたフォーク状の突起部２３ｃ間に挟み込まれている。
【００２７】
以上のように構成された絞り機構２０では、レバー２４をその軸方向に移動させることで、コマ２３が照明光軸ＯＡ２に対して垂直方向に直線移動され、この直線移動にともない回し環２２が照明光軸ＯＡ２回りに回転移動される。さらに、回し環２２の回転移動にともない、駆動ピン１４ｄが長溝２２ｂに案内されて放射方向に移動されることで、開口絞り１４の各絞り羽根１４ａが開閉駆動される。開口絞り１４の開口部１４ｅは略円形に形成されており、その直径に相当する開口径φ（図３−１参照）は、各絞り羽根１４ａの開閉駆動に応じて所定範囲内で連続的に変化する。
【００２８】
コレクタレンズ１２が集光した照明光の光束（以下、照明光束と称する。）は、開口絞り１４によって、照明光軸ＯＡ２周りにおける開口部１４ｅの範囲内に制限される。具体的には、例えば図２−１に示すように、投光管本体１８の側壁部１８ａからレバー２４が所定量引き出された場合、開口径φはその引出量に対応する開口径φｘとされ、照明光束はこの開口径φｘに対応する照明光束ＯＰｘに制限される。また、図２−２に示すように、レバー２４が投光管本体１８内に可動範囲一杯に押し込まれた場合、開口部１４ｅは開放（全開）され、開口径φは最大の開口径φｍａｘにされるとともに、照明光束は開口径φｍａｘに対応する照明光束ＯＰｍａｘに制限される。
【００２９】
つづいて、遮光機構３０について説明する。図４−１および図４−２は、それぞれ遮光機構３０の構成を示す図である。図４−１は、図２−１におけるIV方向から見た構成を示し、図４−２は、図２−２におけるIV’方向から見た構成を示している。これらの図に示すように、遮光機構３０は、フロストガラス１３の他、ガイド３１、スライダ３２、遮光シート３３およびレバー３４を用いて構成されている。遮光機構３０は、図２−１および図２−２に示すように、照明光軸ＯＡ２方向において絞り機構２０近傍に配置されている。
【００３０】
ガイド３１は、Ｕ字状の溝部３１ａ（図２−１参照）を有するリニアガイドであって、そのガイド方向を照明光軸ＯＡ２に対して垂直にして投光管本体１８の底部に固定されている。また、ガイド３１は、溝部３１ａの両端部における所定位置にそれぞれストッパ３１ｂ，３１ｃが設けられている。ストッパ３１ｂ，３１ｃは、ガイド３１がガイドするスライダ３２のスライド移動範囲を規定する。
【００３１】
スライダ３２は、ストッパ３１ｂ，３１ｃ間で溝部３１ａに嵌挿される平板状部材であって、略中央部に設けられた凹部３２ａ内に円盤状のフロストガラス１３が嵌設されている。遮光部材としての遮光シート３３は、スライダ３２の端面のうちフロストガラス１３に対して絞り機構２０と反対側の端面に貼付されている。レバー３４は、その一端がスライダ３２の側面部３２ｂに取り付けられ、他端が投光管本体１８の側壁部１８ａから外部に突出されている。スライダ３２は、側壁部１８ａに対するレバー３４の挿脱移動、すなわちレバー３４の軸方向の移動にともない、ガイド３１上に対してスライド移動可能とされている。
【００３２】
さらに、スライダ３２は、フロストガラス１３の直上部に設けられた孔部３２ｃ内にバネ機構（プランジャ）３５が設けられている。バネ機構３５は、バネ３５ａとボール３５ｂとを用いて構成されており、ボール３５ｂの下端部をバネ３５ａによって付勢することで、ボール３５ｂの上端部をスライダ３２の上端面３２ｄから所定のバネ力で突出させる。これに対し、スライダ３２の上端面３２ｄには押さえ板３６が当接されている。押さえ板３６は、投光管本体１８の左右の側壁部１８ａ，１８ｂの上部に渡設され、その略中央部における照明光軸ＯＡ２直上部には係合穴３６ａが設けられている。この係合穴３６ａとバネ機構３５とによってクリック機構が構成されている。スライダ３２は、ガイド３１に対してスライド移動される際、ボール３５ｂの上端部が係合穴３６ａ内に係入される位置で一時係止され、これにともないフロストガラス１３は、照明光軸ＯＡ２上に位置決めされる。
【００３３】
なお、係合穴３６ａ内に係入されたボール３５ｂは、所定の力量以上の力によってスライダ３２がスライド移動されることで係合穴３６ａから容易に係脱されるとともに、押さえ板３６によって孔部３２ｃ内へ押入される。また、押さえ板３６の上部における投光管本体１８の開口部は、カバー１９によって開閉可能に閉塞されている。
【００３４】
遮光シート３３は、図４−１に示すように、開口絞り１４の開放時の開口部１４ｅ、つまり照明光束ＯＰｍａｘの光束断面よりも大きな遮光面を有し、スライダ３２がクリック機構によって一時係止された場合に照明光束ＯＰｍａｘより外側に位置するようにスライダ３２に貼付されている。図４−１に示す例では、遮光シート３３は、スライダ３２が一時係止される位置で照明光束ＯＰｍａｘに外接するように設けられている。この位置からレバー３４が投光管本体１８内に押し込まれ、スライダ３２が図４−２に示す状態までスライド移動されることで、遮光シート３３は、開口絞り１４近傍における照明光路内に挿入されるとともに、その挿入量に対応して照明光束ＯＰｍａｘを照明光軸ＯＡ２に対して非対称に遮光する。図４−２に示す例では、遮光シート３３は、左右のエッジのうち少なくとも照明光軸ＯＡ２に近い側のエッジ３３ａが上下方向に直線状に成形されており、略半月状の光束を残して左右非対称に照明光束ＯＰｍａｘを遮光している。
【００３５】
ストッパ３１ｂ，３１ｃは、スライダ３２を当接させることで、スライダ３２のスライド移動範囲を制限する。具体的には、ストッパ３１ｂは、レバー３４を投光管本体１８から引き出す方向、つまり遮光シート３３を照明光路から退避させる方向におけるスライダ３２のスライド移動範囲を制限し、ストッパ３１ｃは、レバー３４を投光管本体１８内へ押し込む方向、つまり遮光シート３３を照明光路へ挿入させる方向におけるスライダ３２のスライド移動範囲を制限する。ストッパ３１ｂは、例えば図４−１に示すように、スライダ３２がクリック機構によって一時係止される位置でスライダ３２が当接されるように設けられる。また、ストッパ３１ｃは、例えば図４−２に示すように、遮光シート３３が照明光束ＯＰｍａｘを所定量遮光する位置でスライダ３２が当接されるように設けられる。
【００３６】
なお、レバー３４の所望位置にカラー３７を環設し（図４−１参照）、カラー３７と側壁部１８ａと当接させることで、スライダ３２をストッパ３１ｂ，３１ｃ間の所望位置に位置決めすることもできる。
【００３７】
以上のように構成された照明装置５では、遮光機構３０におけるレバー３４を投光管本体１８から引き出す方向へ移動させ、スライダ３２をクリック機構によって一時係止されるまでスライド移動させるとともに、遮光シート３３を照明光路から退避させることで、標本１に対して明視野照明をすることができる。このとき、絞り機構２０におけるレバー２４を投光管本体１８に対して挿脱移動させ、開口絞り１４の開口径φを適宜変化させることで、標本１に対して照明光を所望の開口数および照明光量で照射することができる。
【００３８】
また、照明装置５では、遮光機構３０におけるレバー３４を投光管本体１８内に押し込む方向へ移動させ、スライダ３２をストッパ３１ｃに当接するまでスライド移動させるとともに、遮光シート３３を照明光路内へ所定量挿入させて照明光束ＯＰｍａｘの一部を遮光させることで、標本１に対して偏斜照明をすることができる。このとき、絞り機構２０におけるレバー２４を投光管本体１８内へ可動範囲一杯に押し込み、開口部１４ｅを開放させることで、観察光軸ＯＡ１に対する照明光の傾斜角度を最大にすることができる。
【００３９】
さらに、照明装置５では、レバー３４を投光管本体１８内に押し込む方向へ移動させ、スライダ３２をストッパ３１ｃに当接する前の所望位置へスライド移動させるとともに、遮光シート３３をその所望位置に対応する挿入量だけ照明光路内へ挿入させて照明光束ＯＰｍａｘの一部を遮ることで、スライダ３２をストッパ３１ｃに当接させる場合よりも照明光の傾斜角度を小さくして偏斜照明を行うことができる。この場合、照明光路に対する遮光シート３３の挿入量と開口絞り１４の開口径φとに対応し、照明光の観察光軸ＯＡ１に対する傾斜角度と照明光量とを変化させることができる。
【００４０】
以上説明したように、本実施の形態にかかる照明装置５では、標本１に対する照明光束を照明光軸ＯＡ２周りに制限する開口絞り１４と、照明光束を遮光する遮光シート３３を有し、開口絞り１４によって制限された照明光路に対して遮光シート３３を挿脱させるとともに、照明光路内への遮光シート３３の挿入量に対応して照明光束を照明光軸ＯＡ２に対して非対称に遮光する遮光機構３０とを備えているため、標本１に対する照明光を遮断することなく明視野照明と偏斜照明とを容易に切り換えることができる。
【００４１】
また、照明装置５では、遮光機構３０は、開口絞り１４近傍、つまり対物レンズ７の瞳と共役な位置近傍における照明光路に遮光シート３３を挿脱させるため、偏斜照明における照明光の標本１に対する照射角度範囲を明確に規定することができる。
【００４２】
（変形例１）
つぎに、本発明の実施の形態にかかる照明装置の変形例１について説明する。上述した照明装置５では、絞り機構２０におけるレバー２４と遮光機構３０におけるレバー３４とは個別に操作されるものとしたが、本変形例１では、レバー３４の操作に連動してレバー２４が作動されるものとしている。
【００４３】
本変形例１では、照明装置５は、図５−１および図５−２に示すように、投光管本体１８に対するレバー２４の挿脱移動に連動してレバー３４を挿脱移動させる連動機構としての連動部４１，４２をさらに備える。連動部４１は、一端がレバー２４の所定位置に環設され、他端がレバー３４に向けて突起されている。同様に、連動部４２は、一端がレバー３４の所定位置に環設され、他端がレバー２４に向けて突起されている。
【００４４】
連動部４２は、図５−１に示すように遮光シート３３が照明光路から退避された状態からレバー３４が投光管本体１８内へ押し込まれる場合、その突起部４２ａが連動部４１の突起部４１ａに当接され、レバー３４の動きに対応して連動部４１をレバー２４の軸方向へ押動する。これによって、レバー２４は、レバー３４の動きに連動して投光管本体１８内へ押し込まれ、開口絞り１４は、開口部１４ｅの開口径φが拡大される。すなわち、連動部４１，４２は、遮光機構３０による遮光シート３３の照明光路に対する挿入移動に連動し、絞り機構２０によって開口絞り１４の開口径φを拡大変化させる。
【００４５】
また、連動部４１，４２は、図５−２に示すようにスライダ３２がストッパ３１ｃに当接されるまでレバー３４が投光管本体１８内へ押し込まれた場合、開口絞り１４の開口部１４ｅを開放させる位置までレバー２４を投光管本体１８内へ移動させる。すなわち、連動部４１，４２は、遮光機構３０が遮光シート３３を照明光路内へ所定量挿入させた場合、絞り機構２０によって開口絞り１４の開口径φを最大にする。
【００４６】
これによって、本変形例１にかかる照明装置５では、明視野照明から偏斜照明へ切り換える場合、遮光機構３０による遮光シート３３の照明光路に対する挿入移動に連動させて開口絞り１４の開口部１４ｅを開放させることができ、標本１に対して偏斜照明をする場合に開口部１４ｅを必ず開放させることができる。
【００４７】
（変形例２）
つぎに、本発明の実施の形態にかかる照明装置の変形例２について説明する。上述した変形例１では、投光管本体１８に対するレバー３４の押し込み方向の移動に連動させてレバー２４を同じ方向へ移動させるようにしていたが、本変形例２では、さらに投光管本体１８に対するレバー３４の引き出し方向の移動に連動させてレバー２４を同じ方向へ移動させるようにしている。すなわち、投光管本体１８に対するレバー３４の挿脱移動に連動してレバー２４が挿脱移動されるものとしている。
【００４８】
本変形例２では、照明装置５は、図６−１および図６−２に示すように、絞り機構２０に替えて絞り機構５０を備える。絞り機構５０は、絞り機構２０の構成をもとに、レバー２４に替えてレバー５４を有する。レバー５４は、レバー５４ａ，５４ｂを用いて構成されている。レバー５４ａは、一端がコマ２３の側面部２３ｂに取り付けられ、他端にマグネット５４ｃが設けられている。レバー５４ａ，５４ｂは、マグネット５４ｃによって同軸に連結されるとともに切り離し可能とされている。
【００４９】
また、本変形例２における照明装置５は、連動機構として連動部４１，４２に加えて引張バネ４３を備える。引張バネ４３は、そのバネ力の作用方向とレバー５４の軸方向とを一致させ、一端がレバー５４ａに固定されるとともに、他端がレバー５４ｂに固定されている。マグネット５４ｃは、レバー５４ａを介して円筒状の引張バネ４３内に挿設されており、連動部４１と連動部４２とが連動しない範囲では、引張バネ４３の収縮力によってレバー５４ｂの端部に当接される（図６−１参照）。これによって、レバー５４ａ，５４ｂは、連動部４１と連動部４２とが連動しない範囲において一体に連結され、絞り機構２０におけるレバー２４と同様に作用する。
【００５０】
レバー３４が投光管本体１８内へ押し込まれ、突起部４２ａが突起部４１ａに当接されるとともにレバー５４の軸方向へ押動される場合、レバー５４ａは、図６−２に示すように、レバー５４ｂから切り離されるとともに、レバー３４および連動部４２の動きに連動して自軸方向へ移動される。これによって、開口絞り１４は、変形例１の場合と同様に、照明光路に対する遮光シート３３の挿入移動に連動して開口径φが拡大される。そして、スライダ３２がストッパ３１ｃに当接されるまでレバー３４が投光管本体１８内へ押し込まれた場合、開口絞り１４は、開口径φが最大にされる。なお、レバー５４ｂは、レバー５４ａが切り離される前後において、投光管本体１８の側壁部１８ａによって同じ状態に保持されている。
【００５１】
これに対して、レバー３４が投光管本体１８から引き出され、遮光シート３３が照明光路内から照明光路外へ退避移動される場合、連動部４２は、レバー３４の動きにともなって連動部４１から遠ざかる方向へ移動され、レバー５４ａおよび連動部４１は、引張バネ４３の収縮作用によって、マグネット５４ｃをレバー５４ｂ端に当接させる方向へ移動される。そして、引張バネ４３による連動部４１の可動範囲に比べてレバー３４が十分に引き出されることで、マグネット５４ｃはレバー５４ｂ端に当接され、レバー５４ａはレバー５４ｂに連結される。これによって、レバー５４は、レバー３４が投光管本体１８内へ押し込まれる以前の状態に復帰され、開口絞り１４の開口径φは、遮光シート３３が照明光路内に挿入される以前の大きさに復元される。
【００５２】
すなわち、本変形例２における照明装置５では、連動機構としての連動部４１，４２および引張バネ４３は、遮光機構３０が遮光シート３３を照明光路内から照明光路外へ退避移動させた場合、絞り機構５０によって開口絞り１４の開口径φを、遮光機構３０が遮光シート３３を照明光路内へ挿入させる以前の大きさに復元する。
【００５３】
ここで、各部の力量は、「側壁部１８ａにおけるレバー５４ｂの制動力」および「側壁部１８ａにおけるレバー３４の制動力」＞「引張バネ４３のバネ力（収縮力）」および「マグネット５４ｃの接合力（磁力）」の関係を満足するものとされている。
【００５４】
以上説明した本変形例２にかかる照明装置５では、明視野照明から偏斜照明へ切り換える場合、変形例１にかかる照明装置５と同様に、遮光機構３０による遮光シート３３の挿入移動に連動させて開口絞り１４の開口部１４ｅを開放させることができる。さらに、本変形例２にかかる照明装置５では、偏斜照明から明視野照明へ切り換える場合、遮光機構３０による遮光シート３３の退避移動に連動させて開口絞り１４の開口径φを、偏斜照明に切り換える以前の大きさに復元することができる。
【００５５】
（変形例３）
つぎに、本発明の実施の形態にかかる照明装置の変形例３について説明する。上述した遮光機構３０では、スライダ３２は、クリック機構によって一時係止される以外、ガイド３１上の位置がスライド移動方向に固定されなかったが、本変形例３では、スライダ３２がストッパ３１ｂ，３１ｃ間の任意の位置に固定できるようにしている。
【００５６】
本変形例３では、照明装置５は、遮光機構３０に替えて、図７に示す遮光機構６０を備える。遮光機構６０は、図７に示すように、遮光機構３０の構成をもとにレバー３４に替えてレバー６４を備えるとともに、圧縮バネ６５をさらに備える。その他の構成は遮光機構３０と同じであり、同一構成部分には同一符号を付して示している。
【００５７】
圧縮バネ６５は、一端が投光管本体１８の側壁部１８ｂの内壁面に固定され、他端がスライダ３２の側面部３２ｅに固定されて、ガイド３１のガイド方向つまりスライダ３２のスライド移動方向と平行に設けられている。図７に示す例では、遮光機構６０は、２本の圧縮バネ６５を備え、スライダ３２は、この２本の圧縮バネ６５によってストッパ３１ｂに当接されるように付勢されている。なお、遮光機構６０が備える圧縮バネ６５は、スライダ３２を同様に付勢するものであれば、２本に限定されず１本もしくは３本以上であってもよい。
【００５８】
レバー６４は、その側面部６４ａに雄ネジが螺刻され、投光管本体１８の側壁部１８ａに設けられたネジ孔１８ｃに螺挿されるとともに、先端部がネジ孔１８ｃを介してスライダ３２の側面部３２ｂに当接されている。レバー６４は、その先端部がストッパ３１ｂよりもさらにストッパ３１ｃ側へねじ込まれた場合、そのねじ込み量に対応してスライダ３２をストッパ３１ｃ方向へスライド移動させる。
【００５９】
以上のように構成された遮光機構６０では、スライダ３２は、圧縮バネ６５からの付勢力によってレバー６４またはストッパ３１ｂに常に当接され、これによってスライド移動方向における位置が固定される。また、遮光機構６０では、ネジ孔１８ｃに対するレバー６４のねじ込み量に対応して、スライダ３２をストッパ３１ｂ，３１ｃ間の所望の位置に位置決めすることができる。
【００６０】
ここまで、本発明を実施する最良の形態を実施の形態として説明したが、本発明は、上述した実施の形態に限定されず、本発明の趣旨を逸脱しない範囲であれば、種々の変形が可能である。
【００６１】
例えば、上述した実施の形態では、遮光機構３０，６０は、遮光部材としての遮光シート３３と拡散光学素子としてのフロストガラス１３とをスライダ３２によって一体に備えるものとしたが、一体に限定されず別体に備えてもよい。その場合、例えばフロストガラス１３を開口絞り１４近傍における照明光路上に設けるとともに、開口絞り１４とフロストガラス１３との間の照明光路に対して遮光シート３３を挿脱させるとよい。これによって、遮光機構を小型化および軽量化することができ、遮光機構の操作性を向上させることができる。
【００６２】
また、上述した実施の形態では、遮光機構３０，６０は、遮光シート３３において上下方向に直線状に成形されたエッジ３３ａによって照明光路をナイフエッジ式に遮光するものとしたが、遮光に用いるエッジは直線状のエッジに限定されるものではなく、例えば円弧状のエッジを用いるなど、任意形状のエッジを用いることができる。これによって、エッジ形状ごとに異なる照明効果を有する偏斜照明を実現することができる。
【００６３】
また、上述した実施の形態では、絞り機構２０，５０および遮光機構３０，６０は、それぞれレバー２４，５４，３４，６４が手動操作されるものとしたが、モータ等を用いた電動駆動機構を用いて自動操作されるものとしてもよい。これによって、絞り機構および遮光機構の操作性および制御性を向上させることができる。
【００６４】
また、上述した実施の形態では、照明装置５は、標本１に対して落射照明をするものとして説明したが、落射照明に限定されず、透過照明をするものとしてもよい。また、照明装置５は、顕微鏡１００に搭載して用いるものとしたが、顕微鏡に限定されず、半導体検査装置やＦＰＤ（Flat Panel Display）検査装置など、各種の検査装置等に搭載して用いることができる。
【図面の簡単な説明】
【００６５】
【図１】本発明の実施の形態にかかる照明装置を用いた顕微鏡の全体構成を示す図である。
【図２−１】実施の形態にかかる照明装置が備える絞り機構および遮光機構の構成を示す断面図である。
【図２−２】実施の形態にかかる照明装置が備える絞り機構および遮光機構の構成を示す断面図である。
【図３−１】絞り機構の部分構成を示す図である。
【図３−２】絞り機構の部分構成を示す図である。
【図３−３】絞り羽根の構成を示す図である。
【図４−１】遮光機構の構成を示す図である。
【図４−２】遮光機構の構成を示す図である。
【図５−１】実施の形態の変形例１にかかる照明装置が備える絞り機構および遮光機構の構成を示す断面図である。
【図５−２】実施の形態の変形例１にかかる照明装置が備える絞り機構および遮光機構の構成を示す断面図である。
【図６−１】実施の形態の変形例２にかかる照明装置が備える絞り機構および遮光機構の構成を示す断面図である。
【図６−２】実施の形態の変形例２にかかる照明装置が備える絞り機構および遮光機構の構成を示す断面図である。
【図７】実施の形態の変形例３にかかる照明装置が備える遮光機構の構成を示す断面図である。
【符号の説明】
【００６６】
１    標本
２    ステージ
３    ステージホルダ
４    顕微鏡本体
４ａ    焦準ハンドル
５    照明装置
６    レボルバ
７    対物レンズ
８    鏡筒
９    双眼部
９ａ    接眼レンズ
１１    光源
１２    コレクタレンズ
１３    フロストガラス
１４    開口絞り
１４ａ    絞り羽根
１４ｂ    平板部材
１４ｃ    固定ピン
１４ｄ    駆動ピン
１４ｅ    開口部
１５    視野絞り
１６    リレーレンズ
１７    ハーフミラー
１８    投光管本体
１８ａ，１８ｂ    側壁部
１８ｃ    ネジ孔
１９    カバー
２０    絞り機構
２１    台座
２１ａ    貫通孔
２１ｂ    凹部
２１ｃ    ダボ穴
２２    回し環
２２ａ    貫通孔
２２ｂ    長溝
２２ｃ    連結ピン
２３    コマ
２３ａ    開口部
２３ｂ    側面部
２３ｃ    突起部
２４    レバー
３０    遮光機構
３１    ガイド
３１ａ    溝部
３１ｂ，３１ｃ    ストッパ
３２    スライダ
３２ａ    凹部
３２ｂ，３２ｅ    側面部
３２ｃ    孔部
３２ｄ    上端面
３３    遮光シート
３３ａ    エッジ
３４    レバー
３５    バネ機構
３５ａ    バネ
３５ｂ    ボール
３６    押さえ板
３６ａ    係合穴
３７    カラー
４１，４２    連動部
４１ａ，４２ａ    突起部
４３    引張バネ
５０    絞り機構
５４，５４ａ，５４ｂ    レバー
５４ｃ    マグネット
６０    遮光機構
６４    レバー
６４ａ    側面部
６５    圧縮バネ
１００    顕微鏡
ＯＡ１    観察光軸
ＯＡ２    照明光軸
ＯＰｘ，ＯＰｍａｘ    照明光束
φ，φｘ，φｍａｘ    開口径
【図１】
2009014772.tif 000003
【図２−１】
2009014772.tif 000004
【図２−２】
2009014772.tif 000005
【図３−１】
2009014772.tif 000006
【図３−２】
2009014772.tif 000007
【図３−３】
2009014772.tif 000008
【図４−１】
2009014772.tif 000009
【図４−２】
2009014772.tif 000010
【図５−１】
2009014772.tif 000011
【図５−２】
2009014772.tif 000012
【図６−１】
2009014772.tif 000013
【図６−２】
2009014772.tif 000014
【図７】
2009014772.tif 000015